(57)【要約】      （修正有）【課題】簡易な構成でありつつ新たな美観を呈する装飾に好適な嵌合構造体を提供する。【解決手段】嵌合構造体０１０１は、装飾０１０４が主面の上面又は／及び下面にプリントされ、厚み方向に自身を貫通する二以上の切り欠きを有する透明プリント板状体０１０２と、透明プリント板状体の下面側主面に接して又は接しないで対向するベース面と、前記透明プリント板状体の二以上の切り欠きに主面のうち下面側から篏合するためにベース面に突設される爪であって、ベース面からの爪高さが前記切り欠き高さよりも低く構成された爪と、を有する台座体０１０３と、からなる。【選択図】図１
0003208654.tif 000002
【実用新案登録請求の範囲】
【請求項１】
装飾が主面の上面又は／及び下面にプリントされ、厚み方向に自身を貫通する二以上の切り欠きを有する透明プリント板状体と、
透明プリント板状体の下面側主面に接して又は接しないで対向するベース面と、前記透明プリント板状体の二以上の切り欠きに主面のうち下面側から篏合するためにベース面に突設される爪であって、ベース面からの爪高さが前記切り欠き高さよりも低く構成された爪と、を有する台座体と、
からなる篏合構造体。
【請求項２】
前記切り欠きと爪とは、透明プリント板状体と嵌合した際に爪の頂部近傍にて相互に間隙が生じるように構成される請求項１に記載の篏合構造体。
【請求項３】
前記爪の頂部近傍はＲ加工がされている請求項１又は請求項２に記載の篏合構造体。
【請求項４】
前記透明プリント板状体は指輪装飾であり、前記台座体は、指輪の指通し部である請求項１から３のいずれか一に記載の篏合構造体。
【請求項５】
前記台座体は透明材料で構成されている請求項１から請求項４のいずれか一に記載の篏合構造体。
【考案の詳細な説明】
【技術分野】
【０００１】
本件考案は、装飾品の構造に関するものであり、装飾をプリントするための透明な板状体を構成に有する装飾品の構造に関する。
【背景技術】
【０００２】
従来の貴金属や宝石を用いた指輪などの装飾品に対して、近年ではプラスチック材を用いた手軽な装飾品が注目されている。
【先行技術文献】
【特許文献】
【０００３】
【特許文献１】特開平７−２９９２５９号公報
【考案の概要】
【考案が解決しようとする課題】
【０００４】
特許文献１に記載されている装飾品は、プラスチック材からなるベースと装飾要素とを係合することで指輪として構成されている。係る構成により簡易に装飾品を構成することができるという物である。
【０００５】
しかしながら、上記の装飾要素には模造の宝石を用いており、結果的に従来の宝石を装飾とする指輪を単にプラスチック製にしただけであり、装飾品として新たな美観を呈するものではない。
【０００６】
そこで、本考案として、簡易な構成でありつつ新たな美観を呈する装飾に好適な嵌合構造体を提供することを課題とする。
【課題を解決するための手段】
【０００７】
以上の課題を解決するため、装飾が主面の上面又は／及び下面にプリントされ、厚み方向に自身を貫通する二以上の切り欠きを有する透明プリント板状体と、透明プリント板状体の下面側主面に接して又は接しないで対向するベース面と、前記透明プリント板状体の二以上の切り欠きに主面のうち下面側から篏合するためにベース面に突設される爪であって、ベース面からの爪高さが前記切り欠き高さよりも低く構成された爪と、を有する台座体と、からなる篏合構造体などを提供する。
【考案の効果】
【０００８】
本考案によれば、装飾の要素として装飾がプリントされた透明プリント板状体により新たな美観を呈するとともに、透明プリント板状体を装飾とする装飾品を簡易に構成することができる。
【図面の簡単な説明】
【０００９】
【図１】本実施例における嵌合構造体の一例を示す概念図
【図２】図１で示した嵌合構造体の透明プリント板状体と台座体とをそれぞれ示す概念図
【図３】透明プリント板状体と台座体とを側面視にて示した概念図
【図４】爪と切り欠きとの嵌合部分を拡大した概念図
【図５】爪と切り欠きとの嵌合部分を拡大した概念図
【図６】嵌合構造体を、スマートフォンスタンドとして構成した例を示す概念図
【考案を実施するための最良の形態】
【００１０】
以下に本考案の実施例を説明する。なお、本考案はこれらの実施例に限定されるものではなく、その要旨を逸脱しない範囲において、種々なる態様で実施しうる。
≪実施例≫
＜構成＞
【００１１】
図１は、本実施例における嵌合構造体の一例を示す概念図である。図示するように、嵌合構造体０１０１は、透明プリント板状体０１０２と、台座体０１０３とからなり、透明プリント板状体の主面の下側には花束の図柄０１０４が装飾としてプリントされている。なお、本実施例における嵌合構造体は指輪を構成しており、透明プリント板状体が指輪の装飾であり、台座体が指輪の指通し部となっている。
【００１２】
図２は、図１で示した嵌合構造体の透明プリント板状体と台座体とをそれぞれ示す概念図である。まず、透明プリント板状体０２０１は、装飾が主面の上面又は／及び下面にプリントされ、厚み方向に自身を貫通する二以上の切り欠き０２０２を有する。
【００１３】
本例では、主面の下面の一部に装飾がプリントされているが、プリントは下面の全部であってもよい。なお、主面とは、物体の面のうちもっとも大きな面積を有する面をいう。透明プリント板状体においては二つの板面が主面となる。また、主面のうち台座体と嵌合した際に、台座体側の主面を下面といい、他方の主面を上面という。
【００１４】
透明な板状体である透明プリント板状体にプリントにて装飾を施すことにより、透けて見える背景に応じて装飾の見え方が多様となり、新たな美観を呈することが可能となる。
【００１５】
また、下側の主面に装飾をプリントすることにより、装飾が周りの物に接触する機会がほとんどなくなり、それらの物との接触による装飾の損傷を抑制することができる。また、装飾は透明プリント板状体の厚みを介して視認されるため、装飾の奥行などを感じることができ特有の美観を呈することができる。
【００１６】
また、上側の主面と下側の主面の双方にプリントがされ、このプリントの上側の主面の装飾と、下側の主面の装飾とが相まって一の装飾を構成するようにしてもよい。係る構成とすることで、装飾に遠近感や奥行を付与することができ特有の美観を呈することができる。
【００１７】
本例における切り欠きは、主面の周縁端の一部を切除する態様にて設けているが、主面を厚さ方向に貫通する穴を開ける態様にて設けるものであってもよい。また、本例では、切り欠きを二つ設けているが三以上設けるものでもよい。
【００１８】
透明プリント板状体の材料は、例えば、アクリル樹脂、シリコン樹脂、エポキシ樹脂、ポリエチレンテレフタラート（ＰＥＴ）、塩化ビニル、ポリカーボネート等が考えられる。また、プリントの技術は上述した材料などからなる透明プリント板状体に装飾を印刷することができるものであれば特段限定するものではないが、例えば、ＵＶ（Ｕｌｔｒａｖｉｏｌｅｔ）プリントが耐光性や耐摩耗性などの観点から好ましい。
【００１９】
台座体０２０３は、透明プリント板状体の下面側主面に接して又は接しないで対向するベース面０２０４と、前記プリント板状体の二以上の切り欠きに主面のうち下面側から篏合するためにベース面に突設される爪であって、ベース面からの爪高さが前記切り欠き高さよりも低く構成された爪０２０５とを有する。
【００２０】
図３は嵌合構造体を構成する透明プリント板状体と台座体とを側面視にて示した概念図である。図３（ａ）は透明プリント板状体を示し、図３（ｂ）は台座体を示し、図３（ｃ）は嵌合した状態の嵌合構造体と爪と切り欠きとの嵌合部分の拡大図を示している。
【００２１】
図示するように、爪の高さｈを切り欠きの高さＨよりも低くし、ベース面と透明プリント板状体の下面側主面とが接する場合あるいは接しない場合のいずれにおいても嵌合した際に透明プリント板状体の上面側主面から爪が突き出ることがないよう構成される。これにより、例えば指輪などのように身に着ける装飾品として構成する際に爪が身に着けている者自身や周囲の物と接した場合にも引っかかるなどの不都合が生じない。
【００２２】
ベース面は透明プリント板状体の下面側主面と接してもよいし接しなくてもよい。接するように構成した場合には、透明プリント板状体と台座体との嵌合した構造がより安定する。接しないように構成した場合には、主面の下面にプリントされた装飾がベース面との接触により損傷する恐れを低下させることができる。また、ベース面は必ずしも平面でなくてもよく、例えば一部が曲面となっていてもよい。係る場合には、ベース面は透明プリント板状体の下面側主面と部分的に接することになる。また、ベース面と透明プリント板状体の下面側主面とが接する場合と接しない場合とで装飾を含めた透明プリント板状体の見え方が異なるという効果もある。
【００２３】
爪と爪との間の距離と透明プリント板状体の切り欠き間の距離とをわずかに異ならしめることで、嵌合した際に爪と切り欠きとの間に圧縮応力あるいは引張応力が働き嵌合が外れにくくなる。
【００２４】
嵌合を外れにくくすることで、透明プリント板状体と台座体とを接合するための接着剤を使用せずに済む。接着剤の使用はプリントされた装飾を汚したり溶かしたりしてしまうため、係る不都合を回避することができる。また、透明プリント板状体を透かして接着剤自体が視認されることで美観を損なうことを回避することもできる。
【００２５】
また、切り欠きと爪とは、透明プリント板状体と嵌合した際に爪の頂部近傍にて相互に間隙が生じるように構成してもよい。図４は係る場合における爪と切り欠きとの嵌合部分を拡大した概念図である。
【００２６】
図４（ａ）に示すように爪の頂部近傍をＲ加工（角を落とし曲面を構成するための加工）が施されており、これにより爪と切り欠きとに間隙０４０１が生じている。このように構成することで嵌め合わせるときに爪の頂部により切り欠き近傍のプリントを損傷する恐れが低減する。また、図４（ｂ）に示すように単に直線的に角を落とすことで爪と切り欠きとに間隙０４０２が生じるように構成してもよい。
【００２７】
また、図５に示すように、爪のベース面側にて切り欠きと間隙が生じるように屈曲部分０５０１を奥に後退させるように構成してもよい。このように構成することで爪と切り欠きとに生じる応力を逃がすことができ損傷が生じることを避けられる。
【００２８】
台座体の材料はとくに限定するものではないが、透明プリント板状体と合わせて透明な樹脂とすることで、嵌合構造体全体として透明感のあるまとまりのよい美観を呈することができ好ましい。
【００２９】
これまで、指輪を形成する場合の嵌合構造体を例にあげて説明してきた。以下に、他の例を示す。
【００３０】
図６は、嵌合構造体を、スマートフォンスタンドとして構成した例を示す概念図である。図示するスマートフォンスタンドは、スマートフォンを載置するための載置台０６０１と、この載置台を背面側から支える支持体０６０２とからなる。犬のキャラクターがプリントされた載置台が嵌合構造体における透明プリント板状体であり、支持体が台座体である。そして、支持体の爪０６０３が載置台に設けられる切り欠き０６０４と嵌合することで、スマートフォンスタンドが構成される。
＜効果＞
【００３１】
本考案によれば、装飾の要素として装飾がプリントされた透明プリント板状体により新たな美観を呈するとともに、透明プリント板状体を装飾とする装飾品を簡易に構成することができる。
【符号の説明】
【００３２】
０１０１  嵌合構造体
０１０２  透明プリント板状体
０１０３  台座体
０１０４  装飾
【図１】
0003208654.tif 000003
【図２】
0003208654.tif 000004
【図３】
0003208654.tif 000005
【図４】
0003208654.tif 000006
【図５】
0003208654.tif 000007
【図６】
0003208654.tif 000008